(57)【要約】【課題】  ストラップ、ベルト、縁取り条片体、ロープ、インテリア部材等の長尺体それ自体を発光可能として各種用途に利用する。【解決手段】  中空長尺体の内部に長さの異なる光ファイバーを収納して、その中空長尺体端部にＬＥＤ発光源から光を導入し、光ファイバー先端部または光ファイバー外周面から光が漏洩する構成により、長尺体自体を発光させる。【選択図】図１
2010129531.tif 000002
【特許請求の範囲】
【請求項１】
透光性と柔軟性を有する中空のひも状体の端部にＬＥＤ光源部を設け、前記ひも状体内部に長さの異なる複数本の光ファイバーをＬＥＤ光源部から光を導入するように一端を揃えて集束させたことを特徴とするひも状発光体装置。
【請求項２】
光ファイバーの先端部は軸方向に対してひとつまたは二つ以上の傾斜カット面を形成するようにカットされ、および／または光ファイバーの外周面に傷がランダムに形成されていることを特徴とする請求項１のひも状発光体装置。
【請求項３】
ひも状体外面にビーズまたは装飾部材を施すことを特徴とする請求項１のひも状発光体装置。
【請求項４】
ＬＥＤ光源部として輝度または発光色の異なる複数のＬＥＤを備えていることを特徴とする請求項１または請求項２のひも状発光体装置。
【請求項５】
ＬＥＤ光源部はソケット受け口形状を構成し、多数本の光ファイバーの集束端部を透光性を維持したまま接着または融着して形成した光導入部を差し込むようにしたことを特徴とする請求項１のひも状発光体装置。
【請求項６】
バッグ類の取っ手または縁飾り、ベルト、犬の首輪、またはインテリア部材等の縁取り部装飾、タッセル、ひもカーテン、ネックレス、コサージュ、ブレスレット等の一部として、組み込まれていることを特徴とする請求項１のひも状発光体装置。
【発明の詳細な説明】
【技術分野】
【０００１】  本発明はひも状、チューブ体、ロープ状、ケーブル等の長尺体を発光させる機構・装置に関するものである。
【背景技術】
【０００２】  従来のひも状体の発光装置で多く見られるタイプとしては、従来例１の特開平６−１０３２０号「工事用ロープ」のように、工事区間を囲うように張りめぐらされる長尺状に形成されたひも内に所定間隔でＬＥＤ点滅灯を配置するものがある（図１０）。このＬＥＤ点滅灯内にはＬＥＤチップと個々に発光制御する制御チップが組み込まれている。【０００３】また、従来例２の図１１のように路面敷設用警告灯としてひもの外周面の各方向に発光するように４個の発光ダイオードを互いに発光軸が異なるような向きに９０°ずらして配置して筒状体に収容して、その筒状発光体を複数個所定間隔で透光性ひも内に配置したものが見られる。（登録実用新案第３０４７１７１号）【０００４】前者のロープ状発光装置における点滅灯は個々にＬＥＤと制御チップを備えなければならないため製造コストがかかり、後者の発光部は四方向に発光するように一箇所の点滅筒状発光部に四つのＬＥＤを使用しているため、製造コストおよび組み込み作業の手間が掛かることになってしまう。
さらにこれらはいずれも所定間隔をおいて発光部を配置するものなので、発光部に連続性を持たせた長尺体としては使用できず、その用途が限られ、応用性に極めて乏しいものであった。
【特許文献】特開平６−１０３２０号公報
【特許文献】登録実用新案第３０４７１７１号公報
【発明の開示】
【発明が解決しようとする課題】
【０００５】  従来の長尺発光体は発光部が間隔を持って形成されているため、特定用途には向いていてもその他の応用性には乏しく、かつ、製造工程およびコストが掛かるものであった。そのような従来と同様の発光効果をカバーして、さらに長尺発光体の発光部分に連続性を持たせることを可能とし、または発光箇所や発光態様を自在にコントロール可能な長尺発光体として、様々な用途に利用できるものとした。
【課題を解決するための手段】
【０００６】  多数本の長さの異なる光ファイバーを透光性と柔軟性を有する中空長尺体に収納し、ＬＥＤ光源からの導入光を光ファイバーの先端部のみならず側面部からも漏洩発光可能とすることにより、発光箇所を連続性のあるものとしたり、光ファイバーの異なる長さの組み合わせ方法や光ファイバー側面への傷の付与方法により、あるいはこれらとＬＥＤ光源の輝度（照度）や発光色をコントロールすることにより、中空ひも状体の発光態様に変化をもたせることができるようにした。
【発明の効果】
【０００７】本発明は従来、用途が限定されていた長尺発光体に比べて以下のような多くの利点を有する。
（１）長さの異なる光ファイバーを多数本使用したので、発光箇所に連続性を持たせたり点発光も可能となる。
（２）中空長尺体の断面形状を変化させた使用態様を採ることにより、例えば、バッグ類の取っ手または縁飾り、ベルト、犬の首輪、カーテン等の縁取り部装飾、タッセル、ひもカーテン、ネックレス、コサージュ、ブレスレット、誘導表示体・階段段差部の表示・水族館・熱帯魚・水槽ディスプレイなどの水中での装飾等、各種の用途に応用でき、ひも状・帯状製品で発光体とすることで特殊効果が期待できるものであればいか様にも応用できる。
（３）発光性装飾体として利用することにより、従来は単純に製品の一部を構成していた部分、あるいは機能だけの構成要素としての存在であった部分に特殊効果を付与し、製品価値を上げることができる。
【発明を実施するための最良の形態】
【０００８】本発明は図１および図２に示すように、透光性と柔軟性を有する中空のひも状体１の一端または両端に電池を電源とするＬＥＤ光源部３を設け、前記中空のひも状体１内部に長さの異なる複数本の光ファイバー２をＬＥＤ光源部３から光を導入するように一端を揃えて集束させた基本構造であり、前記光ファイバー２の先端部形状を傾斜面を形成するようにひとつまたは二つ以上のカット面４を形成して各方向に発光するようにし（図３）、光ファイバー２の外周面はレーザもしくは熱カッター等によりランダムに傷５を形成してその傷５から漏洩する光および光ファイバー２先端部からの発光によりひも状体１全体が光るようにしたものである。図４はそのような光ファイバーに導入された光の流れを矢印で例示したものである。【０００９】  この発光装置を従来例で言及したように所定間隔での発光をさせたい場合には、ひも状体内部の光ファイバー２の外周面における傷の形成なしに、光ファイバー２の長さを数種類の所定寸法に揃えて光ファイバー２先端傾斜カット面４からの発光のみにすれば良い。【００１０】  光ファイバー２の束のカバー部材の役割をする中空ひも状体１としては、透光性チューブ、メッシュ体、オーガンジー、等透光性の素材であれば用途に応じていか様にも選択できる。【００１１】  光ファイバー２を直線的なものではなく、細かく波を打つ形状にして、波の谷と山部との湾曲部から光を漏洩するようにしても良く、例えば光ファイバーの一本ごとにウエーブをかけたり、複数本を束ねて編みこむことで光の屈折変化によって更に部分的に光を強く出せるようになる。このようにすればこの波形状の光ファイバーの外周面に傷を付与せずに、同様もしくはそれ以上の効果を得ることもできる。この場合波の山谷部の間隔を変えることにより発光輝度を変更できる。【００１２】  なお、光ファイバーの束の中に蓄光材や蛍光材を含んだ糸を組み込むようにしても良い、例えばこのようにすると、コントローラーでＬＥＤを点滅させることによりＬＥＤによる発光が遮断されたときには前記糸が蓄光を放ち電池を長持ちさせることができ、電池が消耗切れした場合でもしばらくは発光性を維持でき、蓄光性糸が放つ光だけの場合は、柔らかいほのかな光だけとなり、ＬＥＤだけを使用した場合の発光とは趣が変わり別の効果が期待できる。【００１３】  ＬＥＤ光源部３におけるＬＥＤは複数個使用して発光ひも状体１における輝度を高めたり、コントローラー（図示せず）を設けて、数種類の発光色の異なるＬＥＤとそれらに対応する光ファイバー２からの漏洩光の種類・色彩に変化をもたせて各種デザインを施すことにより、照明装置として、または発光装飾体、発光表示体等の応用性を持たせることが可能であり、使用態様により、広告機能・情報発信機能をもたせることができる。
【実施例１】
【００１４】  長さが異なり先端部には傾斜面をカット形成４し、外周部にはランダムに傷５を形成した多数本の光ファイバー２の一端を熱融着して集束させる。光ファイバー２の外周面にはランダムに傷５を形成して、光源ＬＥＤ３からの光をその傷５部分および光ファイバー先端部カット面４から漏洩発光させる。光ファイバー集束部とＬＥＤ光源３との接続部の例を図１で、抜き差しの容易なソケット式にして示しているが、使用状況によっては分離不能状態で防雨構造としても良い。。【００１５】  光ファイバー２への傷５の付与方法としては、現時点では特許第３９２４６０３号「光ファイバ及びそれを備えた布帛並びにその加工方法及び装置」に開示されているようなレーザによる光ファイバへの加工を利用する方法が好ましいが、これに限定されるものではなく、熱カッターなどのその他の手段による傷形成でもかまわない。【００１６】  上述のひも状発光体１とＬＥＤ光源部３と電池電源部（図示せず）とにより、各種物品への応用性のある本発明の基本構成とした。
上記基本構成のひも状発光体１において、ＬＥＤ光源部３はこのひも状発光体の一端だけでなく、必要に応じて両端に設けたり、ひも状発光体１をリング形成することもでき、電池電源部（図示せず）を光源部に連接させるとひも状発光体の小型化・携行が容易となり、応用対象物品の拡大化を図ることができる。
【実施例２】
【００１７】  透光性で柔軟性のあるひも体内部に長さが異なり外周部にランダムに傷５をつけた光ファイバー２を一端が集束してひも状体１端部にあるＬＥＤ光源３に接するように収納して図５に示すハンドバッグ６の取っ手７部分を構成した。さらにこの取っ手７の外周部にビーズ装飾を施してハンドバッグ取っ手７内の光ファイバーからの漏洩光を、ビーズ内の通過光または反射光等に変化させ、拡散発光させることのできる極めて装飾効果のあるハンドバッグの取っ手を作成することもできる。電源部（図示せず）はボタン電池使用により小型化を図れるので、ハンドバッグ内の適宜の場所に収納すれば良い。【００１８】  本実施例では一例として長さの異なる光ファイバーを使用しているが、外周部にランダムに傷をつけた光ファイバーだけで構成しても良い。
さらにこのハンドバッグの縁取り部８にハンドバッグサイズに応じた細さの本発明になる発光装飾ひも状体を設ければこのハンドバッグ全体に発光装飾を施すことができる。
【実施例３】
【００１９】  図６は透光性の丈夫なひも状中空体により、犬の首輪形状を作成したもので、この透光性ひも状体のバックル取り付け部１１となる部分に電源・光源部を内蔵し、ひも状体内部には長さの異なる光ファイバーを収納して発光性イヌ用首輪とした。また、従来品の首輪の縁取り部１０に細い発光性ひも状体を取り付けて作成しても同様の効果を得ることができる。なお、犬の細い発光性ひも状体で縁取りした引き綱（図示せず）と組み合わせると効果的である。
【実施例４】
【００２０】  図７に示すネックレス本体部１２を本発明の発光性ひも状体１で構成し、ＬＥＤ光源・電源部１３はネックレスの留め金具を兼用するように設けて発光性ネックレス１２を作成する。
ネックレス１２には光散乱性のある透光性の大玉ビーズを通したり、あるいはネックレス外周部に細粒ビーズを貼着して、発光装飾ネックレスを構成するとビーズ経由の乱反射光により極めて装飾効果の高いネックレスを構成することができる。【００２１】  ＬＥＤ光源・電源部１３の構造の一例を図８に示す。図９はその光源・電池部１３とそこに連接する光ファイバー・光源結束部２０の構成分解図である。アルカリボタン電池１４内蔵の電池ボックス１５を電池カバー１６内に収納し、その両端にエンドキャップ１８を利用してＬＥＤ光源部１７を取り付けてＬＥＤ光源・電源部１３とする。前記エンドキャップ１８と光漏れ止めゴム部材１９により構成される光ファイバー・光源結束部２０に装飾性のある発光性ひも状体１を挿入固定してネックレス本体を完成する。
【図面の簡単な説明】
【００２２】
【図１】  本考案のひも状発光体と光源との接続部の断面図である。
【図２】  本考案のひも状中空体に長さの異なる光ファイバーを収納した内部図である。
【図３】  本考案に収納の光ファイバー先端カット面の例を示す図である。
【図４】  本考案に収納した光ファイバー内、および傷付与部分から漏洩する光の流れを例示する図である。
【図５】  本考案のひも状発光体を構成部材の一部としたハンドバッグの図である。
【図６】  本考案のひも状発光体を犬の首輪に応用した図である。
【図７】  本考案のひも状発光体により作成したネックレスの図である。
【図８】  本考案のひも状発光体により作成したネックレスのＬＥＤ光源・電源部の図である。
【図９】  本考案のひも状発光体により作成したネックレスのＬＥＤ光源・電源部の分解図である。
【図１０】  第一従来例の図である。
【図１１】  第二従来例の図である。
【符号の説明】
【００２３】１  カバー部材
２  光ファイバー
３  ＬＥＤ光源部
４  光ファイバー先端のカット形成面
５  傷
６  ハンドバッグ
７  ハンドバッグの取っ手部
８  ハンドバッグの縁取り部
９  犬の首輪
１０  首輪の縁取り部
１１  バックル取り付け部内蔵の電源・光源部
１２  ネックレス本体部
１３  ＬＥＤ光源・電源部
１４  アルカリボタン電池
１５  電池ボックス
１６  電池カバー
１７  ＬＥＤ光源部
１８  エンドキャップ
１９  光漏れ止めゴム部材
２０  光ファイバー・光源結束部
【図１】
2010129531.tif 000003
【図２】
2010129531.tif 000004
【図３】
2010129531.tif 000005
【図４】
2010129531.tif 000006
【図５】
2010129531.tif 000007
【図６】
2010129531.tif 000008
【図７】
2010129531.tif 000009
【図８】
2010129531.tif 000010
【図９】
2010129531.tif 000011
【図１０】
2010129531.tif 000012
【図１１】
2010129531.tif 000013